(57)【要約】【課題】  簡素かつコンパクトな構造で、積層シートを最後まで取出し易くすること。【解決手段】  容器１であって、容器本体１０の相対する第１と第２の壁１１、１２の各内面の側から該容器本体１０の内部の中央の側に向けて、第１と第２の板状弾性体４１、４２のそれぞれを延在してなるもの。【選択図】  図１
2011016575.tif 000002
【特許請求の範囲】
【請求項１】
積層シートを収納するとともに、該積層シートの取出し口を上面に備えた容器本体と、
容器本体の取出し口を開閉する蓋とを有してなる容器であって、
容器本体の相対する第１と第２の壁の各内面の側から該容器本体の内部の中央の側に向けて、第１と第２の板状弾性体のそれぞれを延在してなり、
第１と第２の各板状弾性体が、概ねＶ字状をなすように連結された取付片と押上片を有し、取付片の自由端を容器本体の第１と第２の壁の各内面の取付部に取付け、取付片と押上片の連結部を容器本体の第１と第２の壁の各内面と容器本体の底面との交差部に位置付け、押上片の上に積層シートを載置してなる容器。
【請求項２】
前記第１と第２の各板状弾性体の押上片は、積層シートが載置されていない自由状態で、容器本体の底面に対する反対側に向けて凸の弓形状をなす請求項１に記載の容器。
【請求項３】
前記第１と第２の各板状弾性体の少なくとも一方が複数個からなり、容器本体の平面視で、第１と第２の各板状弾性体が第１と第２の壁の各内面に沿う方向に交互に配置される請求項１又は２に記載の容器。
【発明の詳細な説明】
【技術分野】
【０００１】
本発明は容器に関する。
【背景技術】
【０００２】
ティッシュー等の積層シートを収納する容器において、シートの内容量が少なくなってもシートを取出し易くしたものとして、特許文献１、２に記載のものがある。
【０００３】
特許文献１に記載の容器は、容器本体の底面に、積層シートの包装体を押上げるための復元弾性を有するベロー状の支持体を設ける。包装体を、シートの減少に伴なって、容器本体の取出し口の側へ押上げて取出し易くしようとしたものである。
【０００４】
特許文献２に記載のティッシュー包装体は容器の内蓋内面に着脱可能であり、ティッシュー包装体の外装シートの側面に高さ方向へ収縮可能な弾性材料を伸長状態で設けたものである。ティッシュー包装体は、ティッシューの残量が少なくなるにつれて、外装シートが側面において高さ方向に収縮するから、ティッシューが踊ることがなく、連続して取出しできるようにしたものである。
【先行技術文献】
【特許文献】
【０００５】
【特許文献１】実開昭60-150969
【特許文献２】特開平8-80981
【発明の概要】
【発明が解決しようとする課題】
【０００６】
特許文献１に記載の容器は、容器本体の内部にベロー状の支持体を設置するものであり、ベロー状の支持体が嵩張って、容器本体がその分だけ大型になる。
【０００７】
特許文献２に記載のティッシュー包装体は、内蓋の内面にティッシュー包装体を着脱する構造が必要になるし、ティッシュー包装体毎に収縮可能な弾性材料を設ける必要があり、複雑でコスト高になる。
【０００８】
本発明の課題は、簡素かつコンパクトな構造で、積層シートを最後まで取出し易くすることにある。
【課題を解決するための手段】
【０００９】
請求項１の発明は、積層シートを収納するとともに、該積層シートの取出し口を上面に備えた容器本体と、容器本体の取出し口を開閉する蓋とを有してなる容器であって、容器本体の相対する第１と第２の壁の各内面の側から該容器本体の内部の中央の側に向けて、第１と第２の板状弾性体のそれぞれを延在してなり、第１と第２の各板状弾性体が、概ねＶ字状をなすように連結された取付片と押上片を有し、取付片の自由端を容器本体の第１と第２の壁の各内面の取付部に取付け、取付片と押上片の連結部を容器本体の第１と第２の壁の各内面と容器本体の底面との交差部に位置付け、押上片の上に積層シートを載置してなるようにしたものである。
【発明の効果】
【００１０】
本発明の容器は、容器本体の内部に設けた第１と第２の板状弾性体の押上片の上に積層シートを載置して収納することにより、簡素かつコンパクトな構造で、積層シートを最後まで取出し易くすることができる。
【図面の簡単な説明】
【００１１】
【図１】図１は容器を示す模式断面図である。
【図２】図２は第１と第２の板状弾性体を示す模式斜視図である。
【図３】図３は容器の板状弾性体が押し込まれた状態を示し、（Ａ）は模式断面図、（Ｂ）は模式平面図である。
【図４】図４は容器の使用方法を示す模式図である。
【発明を実施するための形態】
【００１２】
図１に示す容器１は、容器本体１０と蓋３０とを有する。容器本体１０は、例えばプラスチック製であり、上面開口の有底直方体状をなし、上面に着脱自在に嵌着されて一体をなす天蓋２０の中央に取出し口２１を備える。容器本体１０は、天蓋２０を取外した状態で積層シート１００を収納可能にし、天蓋２０を取付けた状態で積層シート１００の上層側のシートを１枚ずつ取出し口２１からつまみ出して取出し可能にする。尚、積層シート１００は、図４に示す如く、包装体１０１に包装された状態で容器本体１０に収納されても良く、包装体１０１に包装されない状態で容器本体１０に収納されても良い。
【００１３】
蓋３０は、例えばプラスチック製であり、容器本体１０の天蓋２０の取出し口２１を開閉可能にする。蓋３０は、天蓋２０にヒンジ結合されるものでも良く、着脱されるものでも良い。容器１は、蓋３０により容器本体１０の天蓋２０の取出し口２１を閉じたとき、容器本体１０の内部スペースを外界に対して密閉できる密閉性容器とすることができ、例えば積層シートに含ませてある薬液の揮散を防止することができる。
【００１４】
容器１は、容器本体１０の相対する第１と第２の壁１１、１２の各内面の側から、容器本体１０の内部の中央の側に向けて、第１と第２の板状弾性体４１、４２のそれぞれを延在している。第１と第２の各板状弾性体４１、４２は、例えば金属、プラスチック、又はエラストマー等の板ばねからなり、図２に示す如く、概ねＶ字状（又は屈折状）をなすように連結された取付片４１Ａ、４２Ａと押上片４１Ｂ、４２Ｂを有し、取付片４１Ａ、４２Ａの自由端を容器本体１０の第１と第２の壁１１、１２の各内面の上端部に設けた取付部１３、１４に取付け、取付片４１Ａ、４２Ａと押上片４１Ｂ、４２Ｂの連結部４１Ｃ、４２Ｃを容器本体１０の第１と第２の壁１１、１２の各内面と容器本体１０の底面１５との直角又は鈍角で交差している交差部１６に位置付け、押上片４１Ｂ、４２Ｂの上に積層シート１００を載置する。容器本体１０の取付部１３、１４は、第１と第２の壁１１、１２の内面との間に凹溝を形成し、この凹溝に取付片４１Ａ、４２Ａの自由端を係入して取付けできる。
【００１５】
容器１は、積層シート１００を第１と第２の各板状弾性体４１、４２における押上片４１Ｂ、４２Ｂの上に載せて容器本体１０の中に押し込み収納した後、容器本体１０に被着される天蓋２０の取出し口２１まわりの内面により積層シート１００の上面外周を保持する。
【００１６】
このとき、第１と第２の各板状弾性体４１、４２の押上片４１Ｂ、４２Ｂは、積層シート１００が載置されていない自由状態で、容器本体１０の底面１５に対する反対側に向けて凸の弓形状をなすものとされる。
【００１７】
また、第１と第２の各板状弾性体４１、４２の少なくとも一方が複数個、本実施例では第２の板状弾性体４２が２個からなり、容器本体１０の平面視で（図３（Ｂ））、第１と第２の各板状弾性体４１、４２が第１と第２の壁１１、１２の各内面に沿う方向に交差配置される。即ち、本実施例では、容器本体１０の平面視で、中央に配置される１個の板状弾性体４１と、その両側に配置される２個の板状弾性体４２とが交互に配置される。
【００１８】
尚、第１と第２の各板状弾性体４１、４２が、板材の巾広先端部に櫛型をなす複数個の押上片４１Ｂ、４２Ｂを並べて備えるものにし、容器本体１０の平面視で、それらの押上片４１Ｂと押上片４２Ｂを第１と第２の壁１１、１２の各内面に沿う方向に交互に配置することもできる。
【００１９】
また、第１と第２の各板状弾性体４１、４２における押上片４１Ｂ、４２Ｂの長さは、それらの押上片４１Ｂ、４２Ｂが少なくとも容器本体１０の底面１５の側に大きく押し込まれたとき、本実施例では押上片４１Ｂ、４２Ｂの押し込み開始段階を含む全押し込み過程で、それらの押上片４１Ｂ、４２Ｂが容器本体１０の側面視（図１、図３（Ａ））で互いに重複する部分をもつように設定され、それらの押上片４１Ｂ、４２Ｂの上に積層シート１００を安定的に載置可能にする。
【００２０】
容器１は、以上の構成を具備することにより、以下の作用効果を奏するものになる。
(a)第１と第２の各板状弾性体４１、４２が、概ねＶ字状をなすように連結された取付片４１Ａ、４２Ａと押上片４１Ｂ、４２Ｂを有し、取付片４１Ａ、４２Ａの自由端を容器本体１０の第１と第２の壁１１、１２の各内面の取付部１３、１４に取付け、取付片４１Ａ、４２Ａと押上片４１Ｂ、４２Ｂの連結部４１Ｃ、４２Ｃを容器本体１０の第１と第２の壁１１、１２の各内面と容器本体１０の底面１５との交差部１６に位置付け、押上片４１Ｂ、４２Ｂの上に積層シート１００を載置可能にする。従って、図３に示す如く、積層シート１００を押上片４１Ｂ、４２Ｂの上に載せて容器本体１０の中に押し込み収納して保持したとき、押上片４１Ｂ、４２Ｂに付与される押し込み力が押上片４１Ｂ、４２Ｂを自由状態から下向きに押し込み弾性変形させるとともに、取付片４１Ａ、４２Ａを弓形に曲げ変形させ、この取付片４１Ａ、４２Ａの曲げ変形に起因する復元モーメントが押上片４１Ｂ、４２Ｂに上向き復元力を付与するものになる。押上片４１Ｂ、４２Ｂは積層シート１００が減少するに従い、この上向き復元力により上向きに復元して積層シート１００に押上力を付与し、積層シート１００を容器本体１０の取出し口２１の側へ確実に押上げ（図１参照）取出し易くする。単純な板ばね等の板状弾性体４１、４２だけからなる簡素で低コストの構造により、積層シート１００を最後まで取出し易くすることができる。
【００２１】
(b)第１と第２の各板状弾性体４１、４２が概ねＶ字状をなす取付片４１Ａ、４２Ａと押上片４１Ｂ、４２Ｂとからなり、取付片４１Ａ、４２Ａの自由端を容器本体１０の第１と第２の壁１１、１２の各内面の取付部１３、１４に取付け、取付片４１Ａ、４２Ａと押上片４１Ｂ、４２Ｂの連結部４１Ｃ、４２Ｃを容器本体１０の第１と第２の壁１１、１２の各内面と底面１５との交差部１６に位置付けるだけで、それらの各板状弾性体４１、４２を容器本体１０の内部に簡易に組付けできる。
【００２２】
(c)容器本体１０の相対する第１と第２の壁１１、１２の各内面に、第１と第２の各板状弾性体４１、４２の取付片４１Ａ、４２Ａを配置するものになり、容器本体１０の中に収納される積層シート１００をそれら相対する取付片４１Ａ、４２Ａの撓みにより挟んで位置決め固定できる。
【００２３】
(d)第１と第２の各板状弾性体４１、４２の押上片４１Ｂ、４２Ｂは、取付片４１Ａ、４２Ａとの連結部４１Ｃ、４２Ｃを容器本体１０の第１と第２の壁１１、１２の各内面と底面１５との交差部１６に支持されるだけで、押上片４１Ｂ、４２Ｂの先端を自由端とするものである。従って、積層シート１００を容器本体１０の中に押し込み収納するとき、板状をなす押上片４１Ｂ、４２Ｂを容器本体１０の底面に近接する位置まで押し込み弾性変形し得るものになり、押上片４１Ｂ、４２Ｂを容器本体１０の底面１５上にコンパクトに設けるとともに、押上片４１Ｂ、４２Ｂの上に載置される積層シート１００が容器本体１０の内部に占める収納容量を容器本体１０の概ね全高近くまで大きくとることができる。
【００２４】
(e)相対する第１と第２の各板状弾性体４１、４２の押上片４１Ｂ、４２Ｂは、積層シート１００の残量が多いときには大きく押し込み弾性変形されていて、各押上片４１Ｂ、４２Ｂの中間部で積層シート１００の下面の広い範囲を安定的に押上げる。積層シート１００の残量が少なくなると各押上片４１Ｂ、４２Ｂに付与される押し込み弾性変形が小さくなり、各押上片４１Ｂ、４２Ｂの先端が積層シート１００の下面の中央を押上げ、最上層のシートを取出し口２１の中央でつまみ出し易くする。
【００２５】
(f)相対する第１と第２の各板状弾性体４１、４２の押上片４１Ｂ、４２Ｂは、積層シート１００の下面に押上力を付与しつつ上向きに復元していくとき、積層シート１００の下面を両側へ広げるように該積層シート１００の下面に摺接するから、積層シート１００をずらしたり、しわを与えることがない。
【００２６】
(g)第１と第２の各板状弾性体４１、４２の押上片４１Ｂ、４２Ｂは、積層シート１００が載置されていない自由状態で、容器本体１０の底面１５に対する反対側に向けて凸の弓形状をなす。これにより、積層シート１００を押上片４１Ｂ、４２Ｂの上に載せて容器本体１０の中に押し込み収納するとき、押上片４１Ｂ、４２Ｂに前述(a)の上向き復元力を確実に付与できる。
【００２７】
(h)第１と第２の各板状弾性体４１、４２の少なくとも一方が複数個からなり、容器本体１０の平面視で、第１と第２の各板状弾性体４１、４２が第１と第２の壁１１、１２の各内面に沿う方向に交互に配置される。これにより、第１と第２の押上片４１Ｂ、４２Ｂの上に積層シート１００を安定的に載置できる。
【産業上の利用可能性】
【００２８】
本発明は、容器において、簡素かつコンパクトな構造で、積層シートを最後まで取出し易くすることができる。
【符号の説明】
【００２９】
１  容器
１０  容器本体
１１  第１の壁
１２  第２の壁
１３、１４  取付部
１５  底面
１６  交差部
２１  取出し口
３０  蓋
４１  第１の板状弾性体
４２  第２の板状弾性体
４１Ａ、４２Ａ  取付片
４１Ｂ、４２Ｂ  押上片
４１Ｃ、４２Ｃ  連結部
【図１】
2011016575.tif 000003
【図２】
2011016575.tif 000004
【図３】
2011016575.tif 000005
【図４】
2011016575.tif 000006